(57)【要約】【課題】安価な回路構成でクロックの異常を検出することの可能なクロック異常検出回路を提供する。【解決手段】クロック信号を基に位相が異なる同一周期のパルス信号を複数生成してそれぞれ個別に出力するパルス信号生成回路と、前記パルス信号の各々に対応して設けられ、自身に対応するパルス信号を入力とするローパスフィルタと、前記ローパスフィルタの各々の出力信号を論理積処理し、その処理結果をクロック異常検出結果として出力する論理回路とによってクロック異常検出回路を構成する。【選択図】図２
2010206723.tif 000002
【特許請求の範囲】
【請求項１】
クロック信号を基に位相が異なる同一周期のパルス信号を複数生成してそれぞれ個別に出力するパルス信号生成回路と、
前記パルス信号の各々に対応して設けられ、自身に対応するパルス信号を入力とするローパスフィルタと、
前記ローパスフィルタの各々の出力信号を論理積処理し、その処理結果をクロック異常検出結果として出力する論理回路と、
を具備することを特徴とするクロック異常検出回路。
【請求項２】
前記複数のパルス信号のデューティ比及び位相は、同一時間軸上において前記パルス信号の各々のローレベル期間が順番に到来するように設定されていることを特徴とする請求項１記載のクロック異常検出回路。
【請求項３】
前記デューティ比は、前記デューティ比をＤ、前記パルス信号の１周期をＴ、前記パルス信号の１周期Ｔに含まれるローレベル期間をＴＬ、前記パルス信号の総数をＮとする下記（１）式を基に設定されており、また、各パルス信号の位相は、基準となるパルス信号に対して他のパルス信号が順番に３６０°／Ｎずつずれるように設定されていることを特徴とする請求項２記載のクロック異常検出回路。
Ｄ＝ＴＬ／Ｔ＝１／Ｎ              ・・・・（１）
【請求項４】
前記パルス信号生成回路は、前記クロック信号に同期してカウントを行うと共に前記パルス信号の１周期が経過する毎にカウント値をリセットするカウンタ機能を備え、前記カウンタのカウント値に応じて各パルス信号の出力レベルをセットすることを特徴とする請求項２または３に記載のクロック異常検出回路。
【請求項５】
請求項１〜４のいずれか一項に記載のクロック異常検出回路と、
記録媒体表面に形成されたトナー像の熱定着を行う定着器と、
前記クロック異常検出回路から出力されるクロック異常検出結果に基づいて前記定着器に設けられているヒータのオン／オフを制御するヒータ制御回路と、
を備えることを特徴とする画像形成装置。
【発明の詳細な説明】
【技術分野】
【０００１】
本発明は、クロック異常検出回路及び画像形成装置に関する。
【背景技術】
【０００２】
レーザプリンタ等の電子写真方式の画像形成装置は、トナーによって形成した画像を用紙に熱定着させるための定着器を備えている。このような定着器には、ファーストコピー時間を短縮するために、消費電力が１０００Ｗを越えるヒータを設けることが一般的であり、温度管理を怠ると発火、発煙の虞がある。
これを防止するために、バイメタルを用いた電源カット機能等を備える定着器が用いられているが、故障発生時を考えて何重にも安全設計を行う必要がある。例えば、制御においては温度をモニターし、ヒータをオン／オフする制御にウオッチドック機能を持たせ、一定時間内にアクセスが無い場合にはヒータをオフする機能なども用いられている。
【先行技術文献】
【特許文献】
【０００３】
【特許文献１】特開平３−４４７１９号公報
【発明の概要】
【発明が解決しようとする課題】
【０００４】
しかしながら、デジタル回路はクロック信号が停止してしまうことで停止状態や無限ループに陥ってしまうため、ヒータをオンにした状態でクロックが停止した場合には温度に関わらずヒータはオンされ続けることになる。このようなクロック停止は発振器の電源電圧低下や振動による素子の破壊や断線、ハンダ付け不良などが原因で発生する。そのため、従来では別系統のクロックやＣＲ発振器を用いた回路を設けたり、専用ＩＣでウオッチドックを行うことで安全性を確保することが一般的であるが、クロックの周波数低下なども考慮して回路設計を行う必要があり、コストアップが問題となっている。
【０００５】
本発明は、上述した事情に鑑みてなされたものであり、安価な回路構成でクロックの異常を検出することの可能なクロック異常検出回路、及びこのクロック異常検出回路によるクロック異常検出結果をヒータ制御に用いる画像形成装置を提供することを目的とする。
【課題を解決するための手段】
【０００６】
上記目的を達成するために、本発明に係るクロック異常検出回路は、クロック信号を基に位相が異なる同一周期のパルス信号を複数生成してそれぞれ個別に出力するパルス信号生成回路と、前記パルス信号の各々に対応して設けられ、自身に対応するパルス信号を入力とするローパスフィルタと、前記ローパスフィルタの各々の出力信号を論理積処理し、その処理結果をクロック異常検出結果として出力する論理回路とを具備することを特徴とする。
また、本発明に係るクロック異常検出回路において、前記複数のパルス信号のデューティ比及び位相は、同一時間軸上において前記パルス信号の各々のローレベル期間が順番に到来するように設定されていることを特徴とする。
また、本発明に係るクロック異常検出回路において、前記デューティ比は、前記デューティ比をＤ、前記パルス信号の１周期をＴ、前記パルス信号の１周期Ｔに含まれるローレベル期間をＴＬ、前記パルス信号の総数をＮとする下記（１）式を基に設定されており、また、各パルス信号の位相は、基準となるパルス信号に対して他のパルス信号が順番に３６０°／Ｎずつずれるように設定されていることを特徴とする。
Ｄ＝ＴＬ／Ｔ＝１／Ｎ              ・・・・（１）
また、本発明に係るクロック異常検出回路において、前記パルス信号生成回路は、前記クロック信号に同期してカウントを行うと共に前記パルス信号の１周期が経過する毎にカウント値をリセットするカウンタ機能を備え、前記カウンタのカウント値に応じて各パルス信号の出力レベルをセットすることを特徴とする。
さらに、本発明に係る画像形成装置は、上記の特徴を有するクロック異常検出回路と、記録媒体表面に形成されたトナー像の熱定着を行う定着器と、前記クロック異常検出回路から出力されるクロック異常検出結果に基づいて前記定着器に設けられているヒータのオン／オフを制御するヒータ制御回路とを備えることを特徴とする。
【発明の効果】
【０００７】
本発明によれば、複数のパルス信号を生成するパルス信号生成回路と、各パルス信号に対応するローパスフィルタと、ローパスフィルタの各々の出力信号を論理積処理する論理回路とを用いることで、安価な回路構成でクロックの異常を検出することの可能なクロック異常検出回路を構成することができる。また、クロック異常検出回路のクロック異常検出結果を画像形成装置におけるヒータ制御に使用することで、クロック異常発生時における温度上昇を防止し、安全性を確保することが可能となる。
【図面の簡単な説明】
【０００８】
【図１】本発明の一実施形態における画像形成装置１００の構成概略図である。
【図２】本発明の一実施形態におけるクロック異常検出回路６０の回路構成図である。
【図３】クロック異常検出回路６０の制御ＩＣ６１にて生成されるパルス信号Ｐ１、Ｐ２、Ｐ３の時間的関係を示すタイミングチャートである。
【図４】クロック異常検出回路６０の制御ＩＣ６１にて生成されるパルス信号Ｐ１、Ｐ２、Ｐ３とカウンタ機能によるカウント値との時間的関係を示すタイミングチャートである。
【図５】クロック異常発生時におけるクロック異常検出回路６０の態様を示す図である。
【図６】クロック異常発生時において、クロック異常検出回路６０の制御ＩＣ６１にて生成されるパルス信号Ｐ１、Ｐ２、Ｐ３とカウンタ機能によるカウント値との時間的関係を示すタイミングチャートである。
【発明を実施するための形態】
【０００９】
以下、図面を参照して、本発明の一実施形態について説明する。
図１は、本実施形態におけるクロック異常検出回路を備える画像形成装置１００の構成概略図である。この画像形成装置１００は、例えばコピー機、プリンタ等の機能を１台に集約した複合機（ＭＦＰ：Multi Function Peripherals)である。図１に示すように、画像形成装置１００は、原稿を読み取るための原稿読取装置１と、原稿読取装置１によって読み取った原稿の画像データ、または通信回線を介して外部から送信された画像データに基づいて用紙（記録媒体）に画像を形成するＭＦＰ本体２とから概略構成されている。
【００１０】
原稿読取装置１は、スキャナ部１０及びＡＤＦ(Auto Document Feeder：自動原稿給紙装置)２０から構成されている。スキャナ部１０は、プラテンガラス１１上にセットされた原稿、またはＡＤＦ２０によって自動給紙される原稿の読み取りを行うものであり、プラテンガラス１１、白色基準板１２、フルレートキャリッジ１３、ハーフレートキャリッジ１４、集光レンズ１５及びＣＣＤ(Charge Coupled Devices)センサ１６等を備えている。
【００１１】
プラテンガラス１１は、読み取り対象の原稿を１枚ずつセットするためのガラス板である。白色基準板１２は、シェーディング補正用の白色基準データを取得するための白色板である。フルレートキャリッジ１３は、プラテンガラス１１の下方において、不図示のキャリッジ搬送機構によりプラテンガラス１１に沿って左右方向（走査方向）に往復移動可能に設けられており、照明光を斜め上方に向けて出射するランプ１３ａと、照明光の反射光を後述するハーフレートキャリッジ１４に向けて反射するミラー１３ｂを内蔵している。
【００１２】
ハーフレートキャリッジ１４は、フルレートキャリッジ１３と同様に、不図示のキャリッジ搬送機構によりプラテンガラス１１に沿って左右方向に往復移動可能に設けられており、フルレートキャリッジ１３のミラー１３ｂからの入射光を下方に向けて反射するミラー１４ａと、ミラー１４ａからの入射光を後述する集光レンズ１５に向けて反射するミラー１４ｂを内蔵している。なお、キャリッジ搬送機構により、フルレートキャリッジ１３の移動量とハーフレートキャリッジ１４の移動量との比率は１：０．５となるように制御されている。これにより、集光レンズ１５に達するまでの照明光の光路長が一定となるように制御される。
【００１３】
プラテンガラス１１上にセットされた原稿を読み取る場合は、フルレートキャリッジ１３及びハーフレートキャリッジ１４を走査方向に移動させることで原稿をスキャンするが、後述するＡＤＦ２０によって原稿を自動給紙する場合には、フルレートキャリッジ１３及びハーフレートキャリッジ１４を所定の原稿読取位置にて待機させ、原稿側を移動（搬送）させることで原稿をスキャンする。
【００１４】
集光レンズ１５は、ハーフレートキャリッジ１４のミラー１４ｂからの入射光を集光してＣＣＤセンサ１６の受光面に結像させる。ＣＣＤセンサ１６は、不図示のＣＣＤ駆動部から供給されるタイミング信号に同期して作動し、受光面にて受光した光を光電変換することにより、読み取った原稿の画像に応じたアナログ電圧信号を生成してＡＦＥ（アナログフロントエンド：図示省略）に出力する。なお、ＡＦＥは、上記のアナログ電圧信号を所定のゲイン設定値にて増幅した後、デジタル変換して読み取った原稿の画像データを生成するものである。
【００１５】
ＡＤＦ２０は、原稿載置トレイ２２にセットされた複数枚の原稿を１枚ずつ順次自動給紙するものであり、プラテンカバー２１、原稿載置トレイ２２、ピックアップローラ２３、レジストローラ２４、プラテンローラ２５及び排紙ローラ２６等から構成されている。プラテンカバー２１は、スキャナ部１０の上面に対して開閉可能に設けられており、プラテンガラス１１上に原稿をセットして読み取りを行う場合における原稿押さえカバーとしての役割と、ピックアップローラ２３、レジストローラ２４、プラテンローラ２５及び排紙ローラ２６等の自動給紙機構に使用される部材の収納用筐体としての役割を担っている。なお、図１では、プラテンカバー２１が閉じられた状態を示している。
【００１６】
原稿載置トレイ２２は、読み取り対象の原稿をセットするためのトレイである。ピックアップローラ２３は、原稿載置トレイ２２にセットされた原稿を１枚ずつピックアップしてレジストローラ２４に搬出するためのローラである。レジストローラ２４は、所定のタイミングで原稿をプラテンローラ２５に搬送するためのローラである。プラテンローラ２５は、原稿を所定の原稿読取位置を経由して排紙ローラ２６に搬送するためのローラである。排紙ローラ２６は、読み取り完了後の原稿を外部に排出するためのローラである。
【００１７】
ＭＦＰ本体２は、原稿読取装置１にて読み取った原稿の画像データ、または通信回線を介して外部から送信された画像データに基づいて、電子写真方式によってトナー画像を形成し、そのトナー画像を記録媒体である用紙に転写するトナー画像形成部３と、トナー画像形成部３によって用紙に転写されたトナー画像を定着させる定着器４と、トナー画像形成部３及び定着器４を経由して用紙を外部に搬送するための用紙搬送機構５と、各種サイズの用紙を収容するための給紙カセット６、７、８とを備えている。さらに、ＭＦＰ本体２には、手前側に開閉自在な手差しトレイ９が設けられており、手差しトレイ９に載置された用紙を用紙搬送機構５によって搬送可能な構成となっている。
【００１８】
トナー画像形成部３は、中間転写ベルト３１と、イエロー（Ｙ）、マゼンダ（Ｍ）、シアン（Ｃ）、ブラック（ＢＫ）の各色にそれぞれ対応したトナー画像形成ユニットＦ（ＦＹ、ＦＭ、ＦＣ、ＦＢ）と、駆動ローラ３２と、テンションローラ３３と、二次転写ローラ３４と、クリーナー３５とから構成されている。
中間転写ベルト３１は、各トナー画像形成ユニットＦ（ＦＹ、ＦＭ、ＦＣ、ＦＢ）によって形成される各色のトナー画像を１次転写するための中間転写体であり、駆動ローラ３２及びテンションローラ３３に張架されて、図１において時計回りに回走する構成となっている。
【００１９】
トナー画像形成ユニットＦ（ＦＹ、ＦＭ、ＦＣ、ＦＢ）は、それぞれ感光体ドラムＦａと、帯電部Ｆｂと、露光部Ｆｃと、現像部Ｆｄと、一次転写ローラＦｅとを備え、さらに不図示のクリーニング装置及び除電装置等とを備える。感光体ドラムＦａは、円柱に形状設定され、その周面に静電潜像及び当該静電潜像に基づくトナー画像が形成されるものである。帯電部Ｆｂは、感光体ドラムＦａに対して対向配置され、感光体ドラムＦａの周面を帯電状態とするものである。露光部Ｆｃは、画像データに基づいてレーザ光を帯電状態の感光体ドラムＦａの周面において走査して静電潜像を形成するものである。現像部Ｆｄは、感光体ドラムＦａの周面に対してトナーを付着させることによって感光体ドラムＦａの周面上に静電潜像に基づくトナー画像を形成（現像）するものである。
【００２０】
一次転写ローラＦｅは、中間転写ベルト３１を挟んで感光体ドラムＦａと対向配置され、感光体ドラムＦａに現像されたトナー画像を中間転写ベルト３１に一次転写するものである。二次転写ローラ３４は、中間転写ベルト３１を挟んで駆動ローラ３２と対向配置されており、給紙カセット６、７、８のいずれかから用紙搬送機構５によって搬送される用紙に、中間転写ベルト３１表面に転写されているトナー画像を２次転写するものである。クリーナー３５は、クリーニングローラやクリーニングブレード等を備え、中間転写ベルト３１の残留トナーを除去するものである。
【００２１】
定着器４は、用紙上に二次転写されたトナー画像を定着させるものであり、加圧・加熱することによりトナーを定着させる加熱ローラ４１を備えている。用紙搬送機構５は、給紙カセット６、７、８から用紙を１枚ずつ搬出するためのピックアップローラ５１、５２、５３と、ピックアップした用紙をトナー画像形成部３（駆動ローラ３２と２次転写ローラ３４との間）に搬送するための給紙ローラ５４、５５、５６と、定着後の用紙を外部に排紙するための排紙ローラ５７等から構成されている。給紙カセット６、７、８は、ＭＦＰ本体２に対して引き出し自在に取り付けられており、各種サイズの用紙を収容するものである。
【００２２】
ここで、図２に示すように、定着器４には加熱ローラ４１を加熱するために用いるヒータ４２と、クロック異常検出回路６０から出力されるクロック異常検出結果に基づいてヒータ４２のオン／オフを制御するヒータ制御回路４３とが設けられている。クロック異常検出回路６０は、クロック発振源である水晶発振器７０から出力されるクロック信号を入力とし、水晶発振器７０の電源電圧低下や振動による素子の破壊または断線、ハンダ付け不良などが原因で発生するクロック停止（クロック異常）を検出して、その検出結果（クロック異常検出結果）をヒータ制御回路４３に出力する。
【００２３】
詳細には、このクロック異常検出回路６０は、図２に示すように、制御ＩＣ（パルス信号生成回路）６１と、ＣＲフィルタ（ローパスフィルタ）６２、６３、６４と、ＡＮＤ回路（論理回路）６５とから構成されている。
【００２４】
制御ＩＣ６１は、水晶発振器７０から入力されるクロック信号を基に位相が異なる同一周期のパルス信号を複数生成してそれぞれ個別に出力する。本実施形態では、この制御ＩＣ６１は、一例として３つのパルス信号Ｐ１、Ｐ２、Ｐ３を生成するものと想定する。ここで、各パルス信号Ｐ１、Ｐ２、Ｐ３のデューティ比及び位相は、同一時間軸上においてパルス信号Ｐ１、Ｐ２、Ｐ３の各々のローレベル期間が順番に到来するように設定されている。
【００２５】
図３は、制御ＩＣ６１から出力されるパルス信号Ｐ１、Ｐ２、Ｐ３の時間的関係を示すタイミングチャートである。この図３に示すように、同一時間軸上においてパルス信号Ｐ１、Ｐ２、Ｐ３の各々のローレベル期間が順番に到来している。ここで、各パルス信号Ｐ１、Ｐ２、Ｐ３のデューティ比は、デューティ比をＤ、パルス信号の１周期をＴ、パルス信号の１周期Ｔに含まれるローレベル期間をＴＬ、パルス信号の総数をＮとする下記（１）式を基に算出された値にて設定されている。
Ｄ＝ＴＬ／Ｔ＝１／Ｎ              ・・・・（１）
【００２６】
つまり、上記（１）式において、本実施形態ではＮ＝３であるので、各パルス信号Ｐ１、Ｐ２、Ｐ３のデューティ比Ｄは、Ｄ＝１／３となる。また、各パルス信号Ｐ１、Ｐ２、Ｐ３の位相は、基準となるパルス信号に対して他のパルス信号が順番に３６０°／Ｎずつずれるように設定されている。つまり、基準となるパルス信号をＰ１とすると、パルス信号Ｐ２はパルス信号Ｐ１に対して３６０°／Ｎ＝１２０°位相がずれており、さらに、パルス信号Ｐ３はパルス信号Ｐ２に対して１２０°位相がずれている。
このように各パルス信号Ｐ１、Ｐ２、Ｐ３のデューティ比Ｄ及び位相を設定することにより、同一時間軸上においてローレベル期間が順番に到来するようなパルス信号Ｐ１、Ｐ２、Ｐ３を生成することができる。
【００２７】
このようなパルス信号Ｐ１、Ｐ２、Ｐ３を生成するために、制御ＩＣ６１はクロック信号に同期してカウントを行うと共にパルス信号の１周期Ｔが経過する毎にカウント値をリセットするカウンタ機能を備えており、現在のカウント値に応じて各パルス信号Ｐ１、Ｐ２、Ｐ３の出力レベルをセットする。
【００２８】
図４は、上記カウント値と各パルス信号Ｐ１、Ｐ２、Ｐ３との時間的関係を示すタイミングチャートである。この図４に示すように、カウント値が「１」の場合にパルス信号Ｐ１をローレベル、パルス信号Ｐ２及びＰ３をハイレベルにセットし、カウント値が「２」の場合にパルス信号Ｐ２をローレベル、パルス信号Ｐ１及びＰ３をハイレベルにセットし、カウント値が「３」の場合にパルス信号Ｐ３をローレベル、パルス信号Ｐ１及びＰ２をハイレベルにセットすることにより、上記のように設定されているデューティ比Ｄ及び位相に基づくパルス信号Ｐ１、Ｐ２、Ｐ３を生成することができる。
【００２９】
以下、図２に戻って説明を続ける。ＣＲフィルタ６２は、パルス信号Ｐ１を入力とするローパスフィルタであり、パルス信号Ｐ１から抵抗及びコンデンサによって規定されるカットオフ周波数以下の周波数成分を濾過してＡＮＤ回路６５に出力する。ＣＲフィルタ６３は、パルス信号Ｐ２を入力とするローパスフィルタであり、パルス信号Ｐ２から抵抗及びコンデンサによって規定されるカットオフ周波数以下の周波数成分を濾過してＡＮＤ回路６５に出力する。ＣＲフィルタ６４は、パルス信号Ｐ３を入力とするローパスフィルタであり、パルス信号Ｐ３から抵抗及びコンデンサによって規定されるカットオフ周波数以下の周波数成分を濾過してＡＮＤ回路６５に出力する。
なお、これらＣＲフィルタ６２、６３、６４の周波数特性（カットオフ周波数）が同一となるように抵抗及びコンデンサの値は設定されている。
【００３０】
ＡＮＤ回路６５は、各ＣＲフィルタ６２、６３、６４の出力信号を論理積処理し、その処理結果をクロック異常検出結果として出力する。ここで、各パルス信号Ｐ１、Ｐ２、Ｐ３の電圧レベルを３．３Ｖと仮定すると、各ＣＲフィルタ６２、６３、６４の出力信号は約２．２Ｖ（＝３．３×２／３）となるため、この２．２Ｖをハイレベルと認識するようにＡＮＤ回路６５のスレッショルド電圧は設定されている。
【００３１】
続いて、上記のように構成されたクロック異常検出回路６０によって、どのようにクロック信号の異常が検出されるのかを詳細に説明する。まず、水晶発振器７０からクロック信号が正常に出力されている場合を考える。このようなクロック正常時において、クロック異常検出回路６０の制御ＩＣ６１は内部のカウンタ機能によって図４に示すようなカウント動作を行い、そのカウント値に応じて各パルス信号Ｐ１、Ｐ２、Ｐ３の出力レベルをセットすることにより、同一時間軸上においてローレベル期間が順番に到来するパルス信号Ｐ１、Ｐ２、Ｐ３を生成して出力する。
【００３２】
ここで、各パルス信号Ｐ１、Ｐ２、Ｐ３の電圧レベルを３．３Ｖと仮定すると、各パルス信号Ｐ１、Ｐ２、Ｐ３は各ＣＲフィルタ６２、６３、６４によって平滑化され、各ＣＲフィルタ６２、６３、６４からは約２．２Ｖの電圧レベルを有する出力信号が出力される。この時、ＡＮＤ回路６５は、各ＣＲフィルタ６２、６３、６４の出力信号が全てハイレベルであると認識するため、それらの論理積処理によって得られるハイレベル信号をクロック異常検出結果として出力する。つまり、クロック正常時には、クロック異常検出結果としてハイレベル信号がヒータ制御回路４３に出力される。これにより、ヒータ制御回路４３は、クロック信号が正常であると認識し、ヒータ４２がオンとなるように制御する。
【００３３】
次に、図５に示すように、時刻ｔ１において、水晶発振器７０の電源電圧低下や振動による素子の破壊または断線、ハンダ付け不良などが原因でクロック停止（クロック異常）が発生した場合を考える。ここで、時刻ｔ１とは、図６に示すように、制御ＩＣ６１のカウント値が「３」にカウントアップされた直後の時刻であると仮定する。この時刻ｔ１においてクロック停止が発生すると、制御ＩＣ６１のカウント動作が停止するため、図６に示すように、時刻ｔ１以降のカウント値は「３」に固定され、各パルス信号Ｐ１、Ｐ２、Ｐ３の電圧レベルはクロック停止発生時の状態に維持されることになる（パルス信号Ｐ１及びＰ２はハイレベル、パルス信号Ｐ３はローレベル）。
【００３４】
すると、時刻ｔ１以降、パルス信号Ｐ１及びＰ２はハイレベル一定の直流信号、パルス信号Ｐ３はローレベル一定の直流信号となるため、図５に示すように、ＣＲフィルタ６２及び６３の出力電圧レベルは３．３Ｖとなり、ＣＲフィルタ６４の出力電圧レベルは０Ｖとなる。この時、ＡＮＤ回路６５は、ＣＲフィルタ６２及び６３の出力信号がハイレベル、ＣＲフィルタ６４の出力信号がローレベルと認識するため、それらの論理積処理によって得られるローレベル信号をクロック異常検出結果として出力する。つまり、クロック異常発生時には、クロック異常検出結果としてローレベル信号がヒータ制御回路４３に出力される。これにより、ヒータ制御回路４３は、クロック信号が異常であると認識し、ヒータ４２がオフとなるように制御する。
【００３５】
ここで、同一時間軸上においてローレベル期間が順番に到来するようにパルス信号Ｐ１、Ｐ２、Ｐ３は生成されているため、クロック異常の発生時刻ｔ１がどのタイミングになろうが、クロック異常発生以降は必ずパルス信号Ｐ１、Ｐ２、Ｐ３のいずれか１つの出力レベルはローレベルに固定されるため、ＡＮＤ回路６５からローレベル信号が出力されることになる。
【００３６】
以上説明したように本実施形態のクロック異常検出回路６０によれば、安価な回路構成でクロック信号の異常発生を検出することが可能であり、その検出結果をヒータ制御に使用することで、クロック異常発生時における温度上昇を防止し、安全性を確保することが可能となる。
【００３７】
なお、本発明は上記実施形態に限定されず、以下のような変形例が挙げられる。
（１）上記実施形態では、クロック異常検出回路６０の制御ＩＣ６１にて３つのパルス信号を生成する場合を説明したが、２つ、若しくは４つ以上のパルス信号を生成するような構成としても良い。例えば、２つのパルス信号を生成する場合には、上記（１）式から２つのパルス信号のデューティ比Ｄを１／２と設定し、また、１つ目のパルス信号を基準とすると、２つ目のパルス信号は１つ目のパルス信号に対して１８０°位相がずれるように設定すれば良い。
【００３８】
また、例えば、４つのパルス信号を生成する場合には、上記（１）式から４つのパルス信号のデューティ比Ｄを１／４と設定し、また、１つ目のパルス信号を基準とすると、２つ目以降のパルス信号は１つ目のパルス信号に対して９０°ずつ位相がずれるように設定すれば良い。
【００３９】
（２）上記実施形態では、クロック異常検出回路６０のローパスフィルタとしてＣＲフィルタ６２、６３、６４を用いた場合を説明したが、これに限らず、その他のローパスフィルタを用いても良い。また、上記実施形態では、パルス信号生成回路として１チップＩＣである制御ＩＣ６１を用いた場合を説明したが、必ずしもパルス信号生成回路を１チップＩＣによって構成する必要はない。
【００４０】
（３）上記実施形態では、クロック異常検出回路６０をＭＦＰである画像形成装置１００のヒータ制御に適用する場合を説明したが、本実施形態に係るクロック異常検出回路６０は、その他の電子機器においてクロックの異常を検出する回路として広く利用することが可能である。また、上記実施形態では、画像形成装置１００としてＭＦＰを例示して説明したが、本発明はこれに限定されず、コピー機や、プリンタ、ファクシミリ等の画像形成装置にも適用することができる。また、上記実施形態では、タンデム方式の画像形成装置１００を例示したが、その他の方式の画像形成装置でも本発明を適用可能であることは勿論である。  
【符号の説明】
【００４１】
１００…画像形成装置、１…原稿読取装置、２…ＭＦＰ本体、１０…スキャナ部、２０…ＡＤＦ(Auto Document Feeder)、３…トナー画像形成部、４…定着器、４１…加熱ローラ、４２…ヒータ、４３…ヒータ制御回路、５…用紙搬送機構、６、７、８…給紙カセット、６０…クロック異常検出回路、６１…制御ＩＣ、６２、６３、６４…ＣＲフィルタ、６５…ＡＮＤ回路、７０…水晶発振器
【図１】
2010206723.tif 000003
【図２】
2010206723.tif 000004
【図３】
2010206723.tif 000005
【図４】
2010206723.tif 000006
【図５】
2010206723.tif 000007
【図６】
2010206723.tif 000008